(57)【要約】【課題】            クランプ給電による被メッキ体への電解メッキと、電解メッキ行程でクランプの給電接点部に付着した金属の電解剥離を同一槽内で同時並行的にできるようにし、電解剥離行程でクランプの給電接点部から剥離された溶解金属を電解メッキ行程で有効活用できるようにする。【解決手段】        同一の電解槽１内に陰極のクランプ給電による電解メッキ行程Ａと電解剥離行程Ｂを設け、電解メッキ行程Ａでクランプ３の給電接点部４に付着した金属をクランプ３の戻り行程で陽極の電流を給電された給電接点部４から電解剥離できるようにした。対極としての陰極を電解メッキ行程Ａと電解剥離行程Ｂで共有させた。クランプ３の給電接点部４をチタンで形成した。さらに好ましくはチタン製の給電接点部４に白金又はイリジウムを被覆して形成した。【選択図】          図２
2016006216.tif 000002
【特許請求の範囲】
【請求項１】
周回経路を複数のクランプが連続して移動するクランプ移動手段を設け、同一の電解槽内の電解液中を前記クランプの給電接点部がメッキ行程を移動した後に戻り行程を経て再び前記メッキ行程に入る周回経路を連続して移動するように構成し、メッキ行程を移動する前記クランプは、空中に配設され且つ陰極の電流を供給されたメッキ用給電レールに該クランプの上部が空中で接触されながら移動し、前記メッキ用給電レールから電解液中の給電接点部に陰極の電流を供給し、陰極の電流が供給された給電接点部でメッキ処理される被メッキ体の端部を掴持し、この給電接点部で掴持され陰極の電流を給電された被メッキ体がメッキ行程の電解液中に配設した対のメッキ用陽極の間を一方向に搬送され、この搬送過程でメッキ用陽極から析出された金属を陰極の極性が給電された被メッキ体の表面に電着する電解メッキ装置であり、戻り行程を移動する前記クランプは、空中に配設され且つ陽極の電流を供給された剥離用給電レールに該クランプの上部が空中で接触されながら移動し、前記剥離用給電レールから電解液中の給電接点部に陽極の電流を供給し、メッキ行程で給電接点部に付着した析出金属を戻り行程を移動する陽極の給電接点部から電解によって溶解し剥離できるようにした、同一槽内でクランプ付着金属を電解剥離するクランプ給電による電解メッキ装置。
【請求項２】
周回経路を複数のクランプが連続して移動するクランプ移動手段をメッキ行程の被メッキ体の搬送通路を間にした両側に設け、同一の電解槽内の電解液中を前記クランプの給電接点部がメッキ行程を移動した後に戻り行程を経て再び前記メッキ行程に入る周回経路を連続して移動するように構成し、メッキ行程を移動する前記クランプは、空中に配設され且つ陰極の電流を供給されたメッキ用給電レールに該クランプの上部が空中で接触されながら移動し、前記メッキ用給電レールから電解液中の給電接点部に陰極の電流を供給し、陰極の電流が供給された給電接点部でメッキ処理される被メッキ体の左右両端部を掴持し、この給電接点部で掴持され陰極の電流を給電された被メッキ体がメッキ行程の電解液中に配設した上下対のメッキ用陽極の間を一方向に水平搬送され、この搬送過程でメッキ用陽極から析出された金属を陰極の極性が給電された被メッキ体の表面に電着する電解メッキ装置であり、戻り行程を移動する前記クランプは、空中に配設され且つ陽極の電流を供給された剥離用給電レールに該クランプの上部が空中で接触されながら移動し、前記剥離用給電レールから電解液中の給電接点部に陽極の電流を供給し、メッキ行程で給電接点部に付着した析出金属を戻り行程を移動する陽極の給電接点部から電解によって溶解し剥離できるようにした、同一槽内でクランプ付着金属を電解剥離するクランプ給電による電解メッキ装置。
【請求項３】
前記クランプは、電解液中に入れられる給電接点部を含むクランプ下部の通電部の材質をチタンで形成し、該クランプのチタンの給電接点部を除いたクランプ下部の通電部を絶縁体で被覆して構成し、該クランプの給電接点部をチタンで形成した、請求項１又は２に記載の同一槽内でクランプ付着金属を電解剥離するクランプ給電による電解メッキ装置。
【請求項４】
前記クランプは、電解液中に入れられる給電接点部を含むクランプ下部の通電部の材質をチタンで形成し、該クランプのチタンの給電接点部を除いたクランプ下部の通電部を絶縁体で被覆して構成し、このクランプのチタンの給電接点部に白金を被覆し、この白金を給電接点部とした、請求項１又は２に記載の同一槽内でクランプ付着金属を電解剥離するクランプ給電による電解メッキ装置。
【請求項５】
前記クランプは、電解液中に入れられる給電接点部を含むクランプ下部の通電部の材質をチタンで形成し、該クランプのチタンの給電接点部を除いたクランプ下部の通電部を絶縁体で被覆して構成し、このクランプのチタンの給電接点部にイリジウムを被覆し、このイリジウムを給電接点部とした、請求項１又は２に記載の同一槽内でクランプ付着金属を電解剥離するクランプ給電による電解メッキ装置。
【請求項６】
メッキ用整流器の正極と不溶性陽極から成る前記メッキ用陽極を電気的に接続し、このメッキ用整流器の負極と前記メッキ用給電レールを電気的に接続し、このメッキ用給電レールに接触されながらメッキ行程を移動するクランプに陰極の電流を供給し、剥離用整流器の正極と前記剥離用給電レールを電気的に接続し、この剥離用整流器の負極と前記メッキ用給電レールを電気的に接続し、この剥離用給電レールに接触されながら戻り行程を移動するクランプに陽極の電流を供給し、陽極の電流を給電された戻り行程を移動するクランプは、反対の極性の電流を供給されているメッキ行程を移動するクランプから給電される陰極の被メッキ体を対極として、陽極を構成するクランプの給電接点部に付着された金属を電解によって溶解し剥離できるようにした、請求項１又は２に記載の同一槽内でクランプ付着金属を電解剥離するクランプ給電による電解メッキ装置。
【請求項７】
メッキ行程を移動する前記クランプは前記メッキ用給電レールにガイドされスライド接触されながら移動し、戻り行程を移動するクランプは前記剥離用給電レールにガイドされスライド接触されながら反対方向に平行に移動し、前記メッキ用給電レールと前記剥離用給電レールが樹脂製の絶縁レールを介して電気的に接続されない状態で連結され、前記メッキ用給電レールと前記剥離用給電レールと前記絶縁レールで連続する周回経路レールを構成した、請求項１又は２に記載の同一槽内でクランプ付着金属を電解剥離するクランプ給電による電解メッキ装置。
【発明の詳細な説明】
【技術分野】
【０００１】
本発明は、クランプ給電による電解メッキによってクランプに付着した金属をクランプの戻り行程で電解によって剥離する装置に関する。
【背景技術】
【０００２】
特許文献１の電解処理装置には、エンドレスに回転して駆動される個々のクランプを、このクランプの戻り経路で回路板などの板状物体に金属を電着する電解室とは別槽の金属除去室の電解液中を通過させ、電解室でクランプに付着した金属を別槽の金属除去室で電解によって除去する技術が開示してある。しかし、エンドレスに回転して駆動されるクランプの搬送経路と戻り経路には、電解室と金属除去室の槽仕切り壁が介在するため、エンドレスに回転駆動されるクランプを電解室と金属除去室の間を通過させるのが技術的に困難であった。
【０００３】
この課題を解決するため、本出願人は既に、エンドレスに連続周回駆動される周回駆動手段に取付けられて一定の高さレベルで周回移動される複数のクランプを、このクランプの戻り経路でクランプに付着した金属などの付着成分を剥離する金属剥離処理槽の処理液中を通過させ、クランプに付着した金属などの付着成分の剥離を行う場合でも、電解メッキ処理槽と金属剥離処理槽の槽間の槽仕切り壁が介在する移動経路をクランプがスムーズに通過でき、且つ電解メッキ処理槽や金属剥離処理槽からの処理液の流出を大幅に減少できる装置を提案してある（特許文献２）。
【先行技術文献】
【特許文献】
【０００４】
【特許文献１】特開昭６３−７６８９８号公報（特公平６−３１４７６号公報）
【特許文献２】特開２０１３−２４９５２７号公報
【発明の概要】
【発明が解決しようとする課題】
【０００５】
背景技術の特許文献１、２の電解メッキ装置は、電解メッキ処理槽の電解メッキ行程でクランプに付着した金属は、クランプの戻り経路で電解メッキ処理槽とは別槽の液中を通過させ、クランプに付着した金属の剥離を行っている。
【０００６】
このため、槽形状が複雑となり、槽間仕切り通過などの搬送機械及び搬送機器が複雑となり、剥離液（薬品）の混入の危険があり、装置の管理が難しい、等いろいろな弊害があった。
【０００７】
このような実情に鑑み、本発明が解決しようとする主な課題は、クランプ給電による被メッキ体への電解メッキと、電解メッキ行程でクランプの給電接点部に付着した金属の剥離を同一槽内で同時並行的にできるようにし、槽形状を単純化でき、搬送機械及び搬送機器を単純化でき、剥離薬品液が不要で、装置の管理が容易な電解メッキ装置を提供すると共に、電解メッキ行程の始部位置では、クランプの給電接点部の付着金属が常に剥離された状態にして、クランプ給電による電解メッキの品質を向上できる電解メッキ装置を提供することである。
【課題を解決するための手段】
【０００８】
前記した課題を解決するため、本発明（請求項１の発明）は、周回経路を複数のクランプが連続して移動するクランプ移動手段を設け、同一の電解槽内の電解液中を前記クランプの給電接点部がメッキ行程を移動した後に戻り行程を経て再び前記メッキ行程に入る周回経路を連続して移動するように構成し、メッキ行程を移動する前記クランプは、空中に配設され且つ陰極の電流を供給されたメッキ用給電レールに該クランプの上部が空中で接触されながら移動し、前記メッキ用給電レールから電解液中の給電接点部に陰極の電流を供給し、陰極の電流が供給された給電接点部でメッキ処理される被メッキ体の端部を掴持し、この給電接点部で掴持され陰極の電流を給電された被メッキ体がメッキ行程の電解液中に配設した対のメッキ用陽極の間を一方向に搬送され、この搬送過程でメッキ用陽極から析出された金属を陰極の極性が給電された被メッキ体の表面に電着する電解メッキ装置であり、戻り行程を移動する前記クランプは、空中に配設され且つ陽極の電流を供給された剥離用給電レールに該クランプの上部が空中で接触されながら移動し、前記剥離用給電レールから電解液中の給電接点部に陽極の電流を供給し、メッキ行程で給電接点部に付着した析出金属を戻り行程を移動する陽極の給電接点部から電解によって溶解し剥離できるようにした、同一槽内でクランプ付着金属を電解剥離するクランプ給電による電解メッキ装置を提供する。
【０００９】
また、本発明（請求項２の発明）は、周回経路を複数のクランプが連続して移動するクランプ移動手段をメッキ行程の被メッキ体の搬送通路を間にした両側に設け、同一の電解槽内の電解液中を前記クランプの給電接点部がメッキ行程を移動した後に戻り行程を経て再び前記メッキ行程に入る周回経路を連続して移動するように構成し、メッキ行程を移動する前記クランプは、空中に配設され且つ陰極の電流を供給されたメッキ用給電レールに該クランプの上部が空中で接触されながら移動し、前記メッキ用給電レールから電解液中の給電接点部に陰極の電流を供給し、陰極の電流が供給された給電接点部でメッキ処理される被メッキ体の左右両端部を掴持し、この給電接点部で掴持され陰極の電流を給電された被メッキ体がメッキ行程の電解液中に配設した上下対のメッキ用陽極の間を一方向に水平搬送され、この搬送過程でメッキ用陽極から析出された金属を陰極の極性が給電された被メッキ体の表面に電着する電解メッキ装置であり、戻り行程を移動する前記クランプは、空中に配設され且つ陽極の電流を供給された剥離用給電レールに該クランプの上部が空中で接触されながら移動し、前記剥離用給電レールから電解液中の給電接点部に陽極の電流を供給し、メッキ行程で給電接点部に付着した析出金属を戻り行程を移動する陽極の給電接点部から電解によって溶解し剥離できるようにした、同一槽内でクランプ付着金属を電解剥離するクランプ給電による電解メッキ装置を提供する。
【００１０】
また、本発明（請求項３の発明）は、前記クランプは、電解液中に入れられる給電接点部を含むクランプ下部の通電部の材質をチタンで形成し、該クランプのチタンの給電接点部を除いたクランプ下部の通電部を絶縁体で被覆して構成し、このクランプの給電接点部をチタンで形成した、同一槽内でクランプ付着金属を電解剥離するクランプ給電による電解メッキ装置を提供する。
【００１１】
また、本発明（請求項４の発明）は、前記クランプのチタンの給電接点部に白金を被覆し、この白金を給電接点部とした、同一槽内でクランプ付着金属を電解剥離するクランプ給電による電解メッキ装置を提供する。
【００１２】
また、本発明（請求項５の発明）は、前記クランプのチタンの給電接点部にイリジウムを被覆し、このイリジウムを給電接点部とした、同一槽内でクランプ付着金属を電解剥離するクランプ給電による電解メッキ装置を提供する。
【００１３】
また、本発明（請求項６の発明）は、メッキ用整流器の正極（プラス電極）と不溶性陽極から成る前記メッキ用陽極を電気的に接続し、このメッキ用整流器の負極（マイナス電極）と前記メッキ用給電レールを電気的に接続し、このメッキ用給電レールに接触されながらメッキ行程を移動するクランプに陰極の電流を供給し、剥離用整流器の正極（プラス電極）と前記剥離用給電レールを電気的に接続し、この剥離用整流器の負極（マイナス電極）と前記メッキ用給電レールを電気的に接続し、この剥離用給電レールに接触されながら戻り行程を移動するクランプに陽極の電流を供給し、陽極の電流を給電された戻り行程を移動するクランプは、反対の極性の電流を供給されているメッキ行程を移動するクランプから給電される陰極の被メッキ体を対極として、陽極を構成するクランプの給電接点部に付着された金属を電解によって溶解し剥離できるようにした、同一槽内でクランプ付着金属を電解剥離するクランプ給電による電解メッキ装置を提供する。
【００１４】
また、本発明は、前記メッキ用給電レールをメッキ行程における被メッキ体の搬送方向で分離した複数本の給電レールによって形成し、分離した複数本のメッキ用給電レールに対応させてメッキ用整流器をそれぞれ配設し、前記メッキ用陽極をメッキ行程における被メッキ体の搬送方向に一定の間隔を空け複数並べて配設した不溶性陽極とし、前記各メッキ用整流器の負極（マイナス電極）と対応する各メッキ用給電レールをそれぞれ電気的に接続し、この各メッキ用整流器の正極（プラス電極）と対応する各メッキ用給電レールの近くに配設した各メッキ用陽極をそれぞれ電気的に接続し、このメッキ用給電レールに接触されながらメッキ行程を移動するクランプに陰極の電流を供給し、剥離用整流器の正極（プラス電極）と前記剥離用給電レールを電気的に接続し、この剥離用整流器の負極（マイナス電極）と前記各メッキ用給電レールをそれぞれ電気的に接続し、この剥離用給電レールに接触されながら戻り行程を移動するクランプに陽極の電流を供給し、陽極の電流を給電された戻り行程を移動するクランプは、反対の極性の電流を供給されているメッキ行程を移動するクランプから給電される陰極の被メッキ体を対極として、陽極を構成するクランプの給電接点部に付着された金属を電解によって溶解し剥離できるようにした、同一槽内でクランプ付着金属を電解剥離するクランプ給電による電解メッキ装置を提供する。
【００１５】
また、本発明（請求項７の発明）は、メッキ行程を移動する前記クランプは前記メッキ用給電レールにガイドされスライド接触されながら移動し、戻り行程を移動するクランプは前記剥離用給電レールにガイドされスライド接触されながら反対方向に平行に移動し、前記メッキ用給電レールと前記剥離用給電レールが樹脂製の絶縁レールを介して電気的に接続されない状態で連結され、前記メッキ用給電レールと前記剥離用給電レールと前記絶縁レールで連続する周回経路レールを構成した、同一槽内でクランプ付着金属を電解剥離するクランプ給電による電解メッキ装置を提供する。
【発明の効果】
【００１６】
本発明の電解メッキ装置によれば、同一の電解槽内でクランプ給電による被メッキ体への電解メッキと、電解メッキ行程でクランプの給電接点部に付着した金属の電解剥離を同時並行的にできる。よって、本発明の電解メッキ装置は、槽形状を単純化でき、搬送機械及び搬送機器を単純化でき、剥離薬品液が不要で、装置の管理が容易である。しかも、電解メッキ行程と戻り行程（電解剥離行程）を周回移動するクランプの給電接点部は、電解剥離行程を通過した電解メッキ行程の始部位置では、常に付着金属が剥離された状態となるため、クランプ給電による電解メッキの品質を向上できる。
【００１７】
また、本発明（請求項３の発明）によれば、クランプの給電接点部をチタンで形成してあるため、メッキ行程ではチタンの給電接点部から被メッキ体へ陰極の電流を給電でき、戻り行程（電解剥離行程）においても陽極を構成するチタンの給電接点部それ自体は電解によって溶解されず、メッキ行程で給電接点部に付着した金属（例えば、銅メッキの場合は銅）のみを電解によって効率良く溶解し剥離できる。
【００１８】
また、本発明（請求項４、５の発明）によれば、チタン製の給電接点部に白金又はイリジウムを被覆して形成したものであれば、給電接点部をチタンで形成した場合に比べ低い電圧（三分の一程度の電圧）でも同等の大きさの電流を供給できるため、メッキ行程では給電接点部から被メッキ体へ陰極の電流を効率良く給電でき、戻り行程（電解剥離行程）においても陽極を構成する給電接点部それ自体は電解によって溶解されず、メッキ行程で給電接点部に付着した金属（例えば、銅メッキの場合は銅）のみを電解によって更に効率良く溶解し剥離できる。
【００１９】
さらに、本発明（請求項６の発明）によれば、陽極の電流を給電された戻り行程（電解剥離行程）を移動するクランプは、反対の極性の電流を供給されているメッキ行程を移動するクランプから給電される陰極の被メッキ体を対極として、陽極を構成するクランプの給電接点部に付着された金属を電解によって溶解し剥離できるようにした。このように、対極としての陰極を電解メッキ行程と電解剥離行程で共有（兼用）しているため、戻り行程（電解剥離行程）で給電接点部から溶解剥離された溶解金属（例えば、溶解Ｃｕ）はメッキ行程を移動する被メッキ体に向け電解液中を移動し、メッキ行程を移動する被メッキ体に電着される。よって、戻り行程（電解剥離行程）でクランプの給電接点部から剥離された溶解金属（例えば、溶解Ｃｕ）を有効活用でき、電解メッキ及び電解剥離の効率を向上させることができる。これは、電解メッキ行程と電解剥離行程を同一の電解槽内で行うことに起因した大きなメリットである。
【図面の簡単な説明】
【００２０】
【図１】本装置の概略平面図である。
【図２】本装置の概略側面図である。
【図３】クランプの実施例を示す、（Ａ）は側面図、（Ｂ）は正面図である。
【図４】クランプの給電接点部の説明図である。
【発明を実施するための形態】
【００２１】
本発明の好ましい実施形態を図１〜図４に基づき説明する。図１，２の電解メッキ装置は、周回経路を複数のクランプ３が連続して移動するクランプ移動手段２をメッキ行程Ａの被メッキ体Ｐ（例えばプリント配線基板）の搬送通路を間にした両側に設け、同一の電解槽１内の電解液Ｗ中を前記クランプ３の給電接点部４（図３，図４に示したように、この給電接点部４を除いたクランプ３の下部は電解液Ｗの液面の上まで絶縁体５で被覆してある。）がメッキ行程Ａを移動した後に戻り行程Ｂを経て再び前記メッキ行程Ａに入る周回経路Ｃを連続して移動するように構成し、メッキ行程Ａを移動する前記クランプ３は、空中に配設され且つ陰極の電流を供給されたメッキ用給電レール６に沿って該クランプ３の上部が空中でスライド接触されながら移動し、前記メッキ用給電レール６から電解液Ｗ中の給電接点部４に陰極の電流を供給し、陰極の電流が供給された給電接点部４でメッキ処理される被メッキ体Ｐの左右両端部を掴持し、この給電接点部４で掴持され陰極の電流を給電された被メッキ体Ｐがメッキ行程Ａの電解液Ｗ中に配設した上下対のメッキ用陽極（不溶性陽極）７（上部陽極７Ａ、下部陽極７Ｂ）の間を一方向に水平搬送され、この搬送過程で上下対のメッキ用陽極（不溶性陽極）７から析出された金属を陰極の極性を給電された被メッキ体Ｐの表面に電着するものである。
【００２２】
前記クランプ移動手段２は、エンドレスに周回駆動される駆動チェーン８（図３を参照）に等間隔をおいて多数のクランプ３（図１ではクランプ３を周回経路Ｃの一部範囲のみで表示したが、周回経路Ｃの全範囲に亘り等間隔に取付けてある。）を取付けてある。駆動チェーン８は、スプロケット（図示せず。）に掛けられ、搬送駆動用モータ（図示せず。）によって一方のスプロケットを回転駆動させて、エンドレスに周回駆動されるように成っている。メッキ行程Ａの搬送通路を間にした両側に設けたクランプ移動手段２，２は、同じ速度で周回駆動されるように成っている。このクランプ移動手段２，２による被メッキ体Ｐの搬送速度は、１分当たり０．５ｍ〜２ｍとしてあり、被メッキ体Ｐのメッキ処理条件によって搬送速度を変更可能にしてある。
【００２３】
図１は、被メッキ体（プリント配線基板）Ｐが板面を上下にした水平状態で左側から搬入駆動ローラなどの搬入手段で電解槽１に供給され、該電解槽１を水平状態で連続的に矢印の方向に搬送させて通過し、電解メッキ処理後に電解槽１から搬出駆動ローラなどの搬出手段で右方向へ搬出される、装置の概略平面図を示している。なお、水平状態の被メッキ体Ｐを電解槽１に搬入する横長の搬入口（図示せず。）、水平状態の被メッキ体Ｐを電解槽１から搬出する横長の搬出口（図示せず。）には、この搬入口と搬出口に対応する電解槽１の内側に上下のシールローラ（図示せず。）を水平に配設し、電解液Ｗが搬入口や搬出口から流出しないようにシールしている。
【００２４】
図１，２に二点鎖線の枠で囲んで示した戻り行程（電解剥離行程）Ｂを移動するクランプ３は、空中に配設され且つ陽極の電流を供給された剥離用給電レール１０に沿って該クランプ３の上部が空中でスライド接触されながら移動し、前記剥離用給電レール１０から電解液Ｗ中の給電接点部４に陽極の電流を供給し、メッキ行程Ａで給電接点部４に付着した析出金属を戻り行程（電解剥離行程）Ｂを移動する陽極のクランプ接点部４から電解によって溶解し剥離できるようにした。
【００２５】
本発明では、前記クランプ３は、電解液Ｗ中に入れられる給電接点部４を含むクランプ下部の通電部の材質をチタンで形成したことを特徴とし、図３，図４に示したように、チタンの給電接点部４を除いたクランプ下部の通電部を絶縁体５で被覆（好ましくは、塩ビゾルコーティング処理）してある。よって、電解液Ｗ中に入れられたクランプ下部はチタンの給電接点部４のみ電解液Ｗと触れることになる。給電接点部４としては、チタン製の給電接点部に白金を塗布し被覆したものがさらに好ましく、チタン製の給電接点部にイリジウムを塗布し被覆したものがさらに好ましい。クランプ３の給電接点部４（掴持面）は、図４に示したように、クランプの移動方向に細長く形成し、メッキ処理される被メッキ体Ｐの側縁部を的確に掴持できるようにすると共に、被メッキ体Ｐのメッキ面を広く確保できるようにしてある。
【００２６】
本発明ではクランプ３の給電接点部４をチタンで形成してあるため、メッキ行程Ａではチタンの給電接点部４から被メッキ体Ｐへ陰極の電流を給電でき、戻り行程（電解剥離行程）Ｂにおいても陽極を構成するチタンの給電接点部４それ自体は電解によって溶解されず、メッキ行程Ａで給電接点部４に付着した金属（例えば銅メッキの場合は銅）のみを電解によって効率良く溶解し剥離できる。
【００２７】
また、チタン製の給電接点部４に白金やイリジウムを被覆して形成したものであれば、給電接点部４をチタンで形成した場合に比べ低い電圧（三分の一程度の電圧）でも同等の大きさの電流を供給できるため、メッキ行程Ａでは給電接点部４から被メッキ体Ｐへ陰極の電流を効率良く給電でき、戻り行程（電解剥離行程）Ｂにおいても陽極を構成する給電接点部４それ自体は電解によって溶解されず、メッキ行程Ａで給電接点部４に付着した金属（例えば銅メッキの場合は銅）のみを電解によって更に効率良く溶解し剥離できる。
【００２８】
メッキ行程Ａを移動するクランプ３は前記メッキ用給電レール６にガイドされスライド接触されながら移動し、戻り行程（電解剥離行程）Ｂを移動するクランプ３は前記剥離用給電レール１０にガイドされスライド接触されながら反対方向に平行に移動する。メッキ用給電レール６は、断面矩形状の導電金属材から成り、メッキ行程における被メッキ体の搬送方向で分離した複数本（図１の実施例では、二等分した２本のレール６Ａ，６Ｂとしたが、これに限定されないことは勿論である。）の給電レールで形成した。分離した給電レール６の分離幅はクランプがレールに沿ってスムーズに移動するのに支障のないものとしてある。なお、このメッキ用給電レール６はメッキ行程Ａの全範囲にわたって直線状に延ばした１本のレールで形成しても良い。剥離用給電レール１０はメッキ用給電レール６と同形な断面矩形状の導電金属材から成り、図１に二点鎖線の枠で囲んだ直線の戻り行程（電解剥離行程）Ｂの全範囲にわたって延ばして固定的に設けてある。図１に示したように、平行な前記メッキ用給電レール６と前記剥離用給電レール１０は半環状の樹脂製の絶縁レール１１を介して電気的には接続されない状態で連結され、前記メッキ用給電レール６と前記剥離用給電レール１０と前記絶縁レール１１で連続する周回経路レールを構成してある。半環状の樹脂製の絶縁レール１１はクランプの旋回移動を助けるため前記給電レール６，１０に比べ幅の狭い断面矩形状にしてある。
【００２９】
前記メッキ用陽極（不溶性陽極）７は、板状（ラス板などの有孔板状を含む）の不溶性の陽極（上部陽極７Ａ、下部陽極７Ｂ）を用いている。板状の不溶性陽極（上部陽極７Ａ、下部陽極７Ｂ）は、それぞれ複数の単位から構成され、複数の板状の上部陽極７Ａと下部陽極７Ｂは、電解液Ｗの液中を水平搬送される板状の被メッキ体Ｐの水平な搬送通過面の上下位置に該被メッキ体Ｐの板面と平行に配設され、かつ該被メッキ体Ｐの搬送方向に一定の間隔を空けて並べて配設されている。図１ではメッキ用陽極（不溶性陽極）を一部のみ示したが、メッキ行程Ａの全範囲にわたって配設してある。
【００３０】
図２に示したように、メッキ用整流器（供給電源）１２の負極（マイナス電極）とメッキ用給電レール６を電気的に接続し、このメッキ用整流器（供給電源）１２の正極（プラス電極）とメッキ用陽極（不溶性陽極）７をそれぞれ電気的に接続し、このメッキ用給電レール６にスライド接触されながらメッキ行程Ａを移動するクランプ３（被メッキ体Ｐ）に陰極の電流を供給し、剥離用整流器（供給電源）１３の正極（プラス電極）と前記剥離用給電レール１０を電気的に接続し、この剥離用整流器１３の負極（マイナス電極）とメッキ用給電レール６を電気的に接続し、この剥離用給電レール１０にスライド接触されながら戻り行程（電解剥離行程）Ｂを移動するクランプに陽極の電流を供給、陽極の電流を給電された戻り行程（電解剥離行程）Ｂを移動するクランプ３は、反対の極性の電流を供給されているメッキ行程Ａを移動するクランプ３から給電される陰極の被メッキ体Ｐを対極として、陽極を構成するクランプ３の給電接点部４に付着された金属を電解によって溶解し剥離できるようにした。
【００３１】
図１の実施例では、分離したメッキ用給電レール６Ａ，６Ｂ（図１では、左右２本ずつ合計４本）に対応させてメッキ用整流器（供給電源）１２（１２Ａ，１２Ｂ，１２Ｃ，１２Ｄ）をそれぞれ配設し、前記メッキ用陽極（不溶性陽極）７をメッキ行程Ａにおける被メッキ体Ｐの搬送方向に一定の間隔を空け複数並べて配設してある。図１、図２に示したように、各メッキ用整流器（供給電源）１２（１２Ａ，１２Ｂ，１２Ｃ，１２Ｄ）の負極（マイナス電極）と対応する各メッキ用給電レール６（６Ａ，６Ｂ）をそれぞれ電気的に接続し、この各メッキ用整流器（供給電源）１２（１２Ａ，１２Ｂ，１２Ｃ，１２Ｄ）の正極（プラス電極）と対応する各メッキ用給電レール６（６Ａ，６Ｂ）の近くに配設した各メッキ用陽極（不溶性陽極）７をそれぞれ電気的に接続し、このメッキ用給電レール６にスライド接触されながらメッキ行程Ａを移動するクランプ３（被メッキ体Ｐ）に陰極の電流を供給し、剥離用整流器（供給電源）１３の正極（プラス電極）と前記剥離用給電レール１０を電気的に接続し、この剥離用整流器１３の負極（マイナス電極）と各メッキ用給電レール６（６Ａ，６Ｂ）をそれぞれ電気的に接続し、この剥離用給電レール１０にスライド接触されながら戻り行程（電解剥離行程）Ｂを移動するクランプに陽極の電流を供給、陽極の電流を給電された戻り行程（電解剥離行程）Ｂを移動するクランプ３は、反対の極性の電流を供給されているメッキ行程Ａを移動するクランプ３から給電される陰極の被メッキ体Ｐを対極として、陽極を構成するクランプ３の給電接点部４に付着された金属を電解によって溶解し剥離できるようにした。
【００３２】
このように、対極としての陰極を電解メッキ行程Ａと電解剥離行程Ｂで共有（兼用）しているため、戻り行程（電解剥離行程）Ｂで給電接点部４から溶解剥離された溶解金属（例えば、溶解Ｃｕ）はメッキ行程Ａを移動する被メッキ体Ｐに向け電解液中を矢印Ｆのように移動し、メッキ行程Ａを移動する被メッキ体Ｐに電着される。よって、戻り行程（電解剥離行程）Ｂでクランプ３の給電接点部４から剥離された溶解金属（例えば、溶解Ｃｕ）を有効活用でき、電解メッキ及び電解剥離の効率を向上させることができる。これは、電解メッキ行程Ａと電解剥離行程Ｂを同一の電解槽１内で行うことに起因した大きなメリットである。
【００３３】
また、図１の実施例では、分離したメッキ用給電レール６Ａ，６Ｂ（図１では、左右２本ずつ合計４本）に対応させてメッキ用整流器（供給電源）１２（１２Ａ，１２Ｂ，１２Ｃ，１２Ｄ）をそれぞれ配設してあるため、メッキ行程Ａを搬送されながら電解メッキされる被メッキ体Ｐの電解メッキの均一化を図ることができる。
【００３４】
前記クランプ３は、図２にその概略構成を示し、図３及び図４に詳細な実施例を示したように、上方部分が空中で電流を給電され、下方部分が電解槽１の電解液Ｗの液中を移動可能な位置に配される上下方向に長い構造を有し、下端部に板状の被メッキ体Ｐの端部を上下方向において掴持及び開放する給電接点部４（上接点部４ｂと下接点部４ａ）を備えている。この給電接点部４を除く通電材から成るクランプ３の電解液中での接触部分は前述したように絶縁体５で被覆処理してある。図２，３に示したクランプ３は、エンドレスに周回駆動される駆動チェーン８に取付けられる共に前記メッキ用給電レール６又は前記剥離用給電レール１０にスライド係合されるスライド係合部１４を持つ固定側クランプ杆１５（この固定側クランプ杆１５の下端部に下接点部４ａを形成してある。）と、この固定側クランプ杆１５に上下動自在に保持される可動側クランプ杆１６を備え、この可動側クランプ杆１６の下端部に形成した上接点部４ｂは、圧縮バネ１７のバネ圧によって下動され、常態において給電接点部４（上接点部４ｂと下接点部４ａ）を上下方向に閉じた状態に制御してある。メッキ行程Ａの始部位置と終部位置におけるクランプ移動経路に高低差のあるクランプ開閉ガイド１８を配設し、クランプ３がクランプ開閉ガイド１８の位置を通過する際に、クランプ３の上方部分に設けたクランプ開閉制御手段１９がクランプ開閉ガイド１８の高位ガイド面部に係合され、前記圧縮バネ１７のバネ圧に抗して前記可動側クランプ杆１６の上接点部４ｂを固定側クランプ杆１５の下接点部４ａから離間されるように上動させ、給電接点部４を上下方向に離間させた開状態に制御できるようにしてある。これによって、メッキ行程Ａの始部を通過するクランプ３を開状態から被メッキ体Ｐの側端部を掴持可能な閉状態に制御し、メッキ行程Ａの終部を通過するクランプ３を閉状態から被メッキ体Ｐの側端部を開放可能な開状態に制御できるようにしている。
【００３５】
電解剥離の全行程に前記したクランプ開閉ガイド１８を直線状に延ばして配設し、図２に示したように、戻り行程（電解剥離行程）Ｂを移動するクランプ３の給電接点部４は電解剥離の全行程で上下接点部４ａ，４ｂを上下方向に離間させた開状態となるようにしてある。戻り行程（電解剥離行程）Ｂにおいて給電接点部４の上下接点部４ａ，４ｂを離間させたことによって、給電接点部４に付着した金属の電解剥離を促進できる。
【００３６】
図３に示したように、前記クランプ開閉制御手段１９は、略Ｌ字型の反転レバー２０の屈曲部を支点部として固定側（この実施例では前記スライド係合部１４の外側面）に支点軸２１によって反転自在に軸着し、この反転レバー２０の下方アーム部２０ｂの先端を可動側クランプ杆１６の上部にピン軸を介して回動自在に連結し、反転レバー２０の上方アーム部２０ａの先端に回転ローラ２２を取付けて構成し、この回転ローラ２２がクランプ３の周回経路に沿うクランプ開位置に設けたクランプ開閉ガイド１８の上面部に沿って転動する係合状態において、上方アーム部２０ａが前記支点軸２１を軸心として上方向に反転し、下方アーム部２０ｂに連結された可動側クランプ杆１６を圧縮バネ１７のバネ圧に抗して上動させ、可動側クランプ杆１６の上接点部４ｂと固定側クランプ杆１５の下接点部４ａを上下方向に離間させた開状態に制御できるように構成してある。
【符号の説明】
【００３７】
１  電解槽
Ｗ  電解液
Ｐ  被メッキ体（プリント配線基板）
Ａ  メッキ行程
Ｂ  戻り行程（電解剥離行程）
２  クランプ移動手段
３  クランプ
４  クランプの給電接点部
５  クランプの絶縁体
６  メッキ用給電レール
７  メッキ用陽極（不溶性陽極）
１０  剥離用給電レール
１１  絶縁レール
１２  メッキ用整流器
１３  剥離用整流器
【図１】
2016006216.tif 000003
【図２】
2016006216.tif 000004
【図３】
2016006216.tif 000005
【図４】
2016006216.tif 000006